(57)【要約】【課題】人的資源の市場価値を客観的に示し、正当な市場競争を促進する。【解決手段】人的資源の提供を希望する第１のユーザと、前記人的資源の提供に対する対価として報酬の提供を希望する第２のユーザと、の需給を示す需給情報を生成する需給情報生成部、を備え、前記需給情報生成部は、前記第１のユーザの保有スキル情報と、前記第２のユーザの希望スキル情報と、の間で一致するスキルセットごとに前記需給情報を生成する、情報処理装置が提供される。【選択図】図１
2020008663.tif 000002
【特許請求の範囲】
【請求項１】
人的資源の提供を希望する第１のユーザと、前記人的資源の提供に対する対価として報酬の提供を希望する第２のユーザと、の需給を示す需給情報を生成する需給情報生成部、
を備え、
前記需給情報生成部は、前記第１のユーザの保有スキル情報と、前記第２のユーザの希望スキル情報と、の間で一致するスキルセットごとに前記需給情報を生成する、
情報処理装置。
【請求項２】
前記需給情報生成部は、前記第１のユーザが入力する希望報酬額と、前記第２のユーザが入力する支払報酬額と、にさらに基づいて前記需給情報を生成する、
請求項１に記載の情報処理装置。
【請求項３】
前記需給情報生成部は、前記希望報酬額および前記支払報酬額の分布を含む前記需給情報を前記スキルセットごとに生成する、
請求項２に記載の情報処理装置。
【請求項４】
前記人的資源の提供に係る売り注文情報、および前記報酬の提供に係る買い注文情報を生成する注文情報生成部、
をさらに備え、
前記注文情報生成部は、前記第１のユーザの保有スキル情報と前記希望報酬額とに基づいて前記売り注文情報を生成し、前記第２のユーザの希望スキル情報と前記支払報酬額とに基づいて前記買い注文情報を生成し、
前記需給情報生成部は、前記売り注文情報および前記買い注文情報の分布を含む前記需給情報を前記スキルセットごとに生成する、
請求項２に記載の情報処理装置。
【請求項５】
前記需給情報の表示を制御する表示制御部、
をさらに備える、
請求項４に記載の情報処理装置。
【請求項６】
前記表示制御部は、前記需給情報を板表現を用いて表示させる、
請求項５に記載の情報処理装置。
【請求項７】
前記表示制御部は、前記需給情報に基づく報酬相場情報の表示を制御する、
請求項５に記載の情報処理装置。
【請求項８】
前記表示制御部は、前記第１のユーザがさらなるスキルを獲得した場合における前記報酬相場情報を表示させる、
請求項７に記載の情報処理装置。
【請求項９】
前記表示制御部は、前記需給情報に基づいて、前記第１のユーザと前記第２のユーザとに係る需給の遷移を前記スキルセットごとに時系列に表示させる、
請求項５に記載の情報処理装置。
【請求項１０】
前記表示制御部は、前記需給情報に基づく前記第１のユーザと前記第２のユーザとに係る需給の予測を前記スキルセットごとに表示させる、
請求項５に記載の情報処理装置。
【請求項１１】
前記表示制御部は、前記第１のユーザまたは前記第２のユーザの要求に基づいて、前記第１のユーザと前記第２のユーザとの間の契約交渉に係るチャットを制御する、
請求項５に記載の情報処理装置。
【請求項１２】
前記表示制御部は、前記第１のユーザに係る過去の成約情報の表示を制御する、
請求項５に記載の情報処理装置。
【請求項１３】
前記成約情報は、契約時における契約報酬額情報と報酬相場情報とを含む、
請求項１２に記載の情報処理装置。
【請求項１４】
前記表示制御部は、前記第１のユーザが契約を交渉中である前記第２のユーザの支払報酬額、または前記第２のユーザが契約を交渉中である前記第１のユーザの希望報酬額の表示を制御する、
請求項５に記載の情報処理装置。
【請求項１５】
前記注文情報生成部は、前記第２のユーザが入力した希望スキル情報および支払報酬額に基づいて、異なるスキルセットを指定する複数の買い注文情報を生成する、
請求項４に記載の情報処理装置。
【請求項１６】
前記第１のユーザがアップロードしたコンテンツに基づいて当該第１のユーザに係る前記保有スキル情報を自動で生成する登録部、
をさらに備える、
請求項１に記載の情報処理装置。
【請求項１７】
プロセッサが、人的資源の提供を希望する第１のユーザと、前記人的資源の提供に対する対価として報酬の提供を希望する第２のユーザと、の需給を示す需給情報を生成すること、
を含み、
前記需給情報を生成することは、前記第１のユーザの保有スキル情報と、前記第２のユーザの希望スキル情報と、の間で一致するスキルセットごとに、前記需給情報を生成すること、
をさらに含む、
情報処理方法。
【請求項１８】
コンピュータを、
人的資源の提供を希望する第１のユーザと、前記人的資源の提供に対する対価として報酬の提供を希望する第２のユーザと、の需給を示す需給情報を生成する需給情報生成部、
を備え、
前記需給情報生成部は、前記第１のユーザの保有スキル情報と、前記第２のユーザの希望スキル情報と、の間で一致するスキルセットごとに、前記需給情報を生成する、
情報処理装置、
として機能させるためのプログラム。
【発明の詳細な説明】
【技術分野】
【０００１】
本開示は、情報処理装置、情報処理方法、およびプログラムに関する。
【背景技術】
【０００２】
企業等の団体の運営において、人的資源の効率的な獲得は非常に重要である。また、人的資源を提供する側のユーザにとっても、希望条件とより合致する報酬等を提示する団体を見つけることが重要となる。両者のマッチングを支援する仕組みとしては、例えば、特許文献１に記載のシステムが挙げられる。
【先行技術文献】
【特許文献】
【０００３】
【特許文献１】特開２００３−２５６５５１号公報
【発明の概要】
【発明が解決しようとする課題】
【０００４】
しかし、特許文献１に記載のシステムでは、募集側と応募側の需給が考慮されていない。このため、特許文献１に記載のシステムでは、応募側のユーザが市場における自身の価値を客観的に判断することが困難であり、また募集側のユーザが市場価格に応じて適正な報酬を設定することが困難である。
【課題を解決するための手段】
【０００５】
本開示によれば、人的資源の提供を希望する第１のユーザと、前記人的資源の提供に対する対価として報酬の提供を希望する第２のユーザと、の需給を示す需給情報を生成する需給情報生成部、を備え、前記需給情報生成部は、前記第１のユーザの保有スキル情報と、前記第２のユーザの希望スキル情報と、の間で一致するスキルセットごとに前記需給情報を生成する、情報処理装置が提供される。【０００６】
また、本開示によれば、プロセッサが、人的資源の提供を希望する第１のユーザと、前記人的資源の提供に対する対価として報酬の提供を希望する第２のユーザと、の需給を示す需給情報を生成すること、を含み、前記需給情報を生成することは、前記第１のユーザの保有スキル情報と、前記第２のユーザの希望スキル情報と、の間で一致するスキルセットごとに、前記需給情報を生成すること、をさらに含む、情報処理方法が提供される。【０００７】
また、本開示によれば、コンピュータを、人的資源の提供を希望する第１のユーザと、前記人的資源の提供に対する対価として報酬の提供を希望する第２のユーザと、の需給を示す需給情報を生成する需給情報生成部、を備え、前記需給情報生成部は、前記第１のユーザの保有スキル情報と、前記第２のユーザの希望スキル情報と、の間で一致するスキルセットごとに、前記需給情報を生成する、情報処理装置、として機能させるためのプログラムが提供される。
【図面の簡単な説明】
【０００８】
【図１】本開示の一実施形態に係る需給情報生成部が生成する需給情報の表示例である。
【図２】同実施形態に係るシステム構成例および情報処理サーバの機能構成例を示すブロック図である。
【図３】同実施形態に係る第１のユーザの情報登録画面の一例を示す図である。
【図４】同実施形態に係るカテゴリ入力画面の一例を示す図である。
【図５】同実施形態に係るスキル入力画面の一例を示す図である。
【図６】同実施形態に係るコンテンツに基づく保有スキル情報の自動登録について説明するための図である。
【図７】同実施形態に係る第１のユーザのポートフォリオを表示する画面の一例を示す図である。
【図８】同実施形態に係る第１のユーザに係る過去の成約情報の詳細を表示する画面の一例を示す図である。
【図９】同実施形態に係る第１のユーザへのスキル獲得提案について説明するための図である。
【図１０】同実施形態に係る買い注文の検索画面の一例を示す図である。
【図１１】同実施形態に係る買い注文の検索結果画面を示す一例である。
【図１２】同実施形態に係る買い注文の登録画面の一例を示す図である。
【図１３】同実施形態に係る買い注文の詳細情報を示す画面の一例である。
【図１４】同実施形態に係る表示制御部による、第１のユーザおよび第２のユーザ間のチャット制御について説明するための図である。
【図１５】同実施形態に係る契約交渉中の他のユーザに係る報酬額の表示について説明するための図である。
【図１６】同実施形態に係る注文情報生成部による、複数の買い注文情報の自動生成について説明するための図である。
【図１７】同実施形態に係る情報処理システムの処理の流れを示すフローチャートである。
【図１８】本開示の一実施形態に係る情報処理サーバのハードウェア構成例を示す図である。
【発明を実施するための形態】
【０００９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１０】
なお、説明は以下の順序で行うものとする。
１．実施形態
１．１．概要
１．２．システム構成例
１．３．機能の詳細
１．４．処理の流れ
２．ハードウェア構成例
３．まとめ
【００１１】
＜１．実施形態＞
＜＜１．１．概要＞＞
まず、本開示の一実施形態の概要について説明する。近年、企業等にとって優秀な人的資源の確保は急務であり、また応募側のユーザにとっても自身の希望条件にマッチする募集を効率的に見つけることが重要である。
【００１２】
このため、近年においては、応募側および募集側の両者のマッチングを支援するサービスが多く展開されている。例えば、応募側となる企業等は、上記のようなサービス上において、報酬等を含む求人等を公開し、また募集側となるユーザは、当該サービス上において条件が合致する求人等に応募を行うことができる。
【００１３】
このように、上記のようなサービスによれば、募集側と応募側の双方がマッチング相手を容易に探すことができ、契約に至るまでの過程を効率化することが可能となる。
【００１４】
しかし、現状、多くのサービスでは、人的資源の需給バランスが十分に考慮されていないのが実情である。例えば、上記のようなサービスにおいて、募集側は、応募側に求めるスキルセットを設定することが可能であるが、当該スキルセットを有する人的資源が市場にどの程度存在するのかを把握することが困難である。このため、多くの場合、募集側は、最終学歴等を指標とした報酬設定しているが、このような報酬設定は上述のスキルセットの市場価値（希少性）を十分に反映しているとは言い難く、賃金低下等を招く要因となっている。
【００１５】
また、上記のようなサービスでは、応募者側も、自身と同等のスキルセットを保有する競争相手が市場にどの程度存在するかを把握することが困難である。このため、応募側のユーザの多くは、自身の希少性を募集側に客観的に訴求することが困難であり、募集側が提示する報酬額に対する交渉を十分に行えていない。
【００１６】
さらには、人は学習や経験を通じてスキルアップ（成長）することから、同一の人物であっても、その価値は常に変化し得る。このため、人的資源の需給は、一般的な物品の需給と比較してより正確に把握する必要がある。
【００１７】
本開示の一実施形態に係る技術思想は上記の点に着目して発想されたものであり、人的資源の市場価値を客観的に示し、正当な市場競争を促進することを可能とする。
【００１８】
このために、本開示の一実施形態に係る情報処理サーバ２０は、人的資源の提供を希望する第１のユーザと、人的資源の提供に対する対価として報酬の提供を希望する第２のユーザと、の需給を示需給情報を生成する需給情報生成部２３０を備える。また、本開示の一実施形態に係る需給情報生成部２３０は、上記第１のユーザの保有スキル情報と、上記第２のユーザの希望スキル情報と、の間で一致するスキルセットごとに需給情報を生成すること、を特徴の一つとする。
【００１９】
ここで、上記の第１のユーザは、例えば上述した応募側のユーザであり、第２のユーザは、例えば募集側の企業等で有り得る。すなわち、本実施形態に係る第１のユーザは、雇用契約や労働契約の下に第２のユーザに対して労務を提供することを希望するユーザであり、本実施形態に係る第２のユーザは、同契約の下に供される労務に対し報酬を与えることを希望するユーザであってもよい。
【００２０】
一方、本実施形態に係る第１のユーザと第２のユーザとの間における契約の種別は上記の例に限定されず、両者間で締結される契約は、例えば、請負契約、委任契約、業務委託契約等であってもよい。また、本実施形態における報酬とは、給与、俸給、賃金等を広く含むものとして理解される。
【００２１】
すなわち、本実施形態に係る第１のユーザは、第２のユーザに対し、人的資源または当該人的資源により作成される成果物等を供することを希望する者を広く含み、本実施形態に係る第２のユーザは、第１のユーザによる人的資源等の提供に対し、対価として報酬を支払うことを希望する者を広く含む。
【００２２】
図１は、本実施形態に係る需給情報生成部２３０が生成する需給情報の表示例である。図１に示す一例の場合、需給情報生成部２３０は、第２のユーザが入力した希望スキル情報と、第１のユーザが入力した保有スキル情報とに基づいて、両者に共通するスキルセットに係る需給情報を生成している。
【００２３】
図１に示す一例の場合、両者に共通するスキルセットは、「Ｗｅｂシステム開発のＪａｖａ（登録商標）エンジニア」、「Ｊａｖａ、ｅｃｌｉｐｓｅ、ＳＱＬ、Ｗｅｂ環境での開発経験２年以上」であってよい。
【００２４】
すなわち、図１に示す需給情報は、市場において、「Ｊａｖａ、ｅｃｌｉｐｓｅ、ＳＱＬ、Ｗｅｂ環境での開発経験２年以上」の「Ｗｅｂシステム開発のＪａｖａエンジニア」を募集する第２のユーザがどの程度存在するか（需要）と、市場において、「Ｊａｖａ、ｅｃｌｉｐｓｅ、ＳＱＬ、Ｗｅｂ環境での開発経験２年以上」の「Ｗｅｂシステム開発のＪａｖａエンジニア」に該当する第１のユーザがどの程度存在するか（供給）を客観的に示すものである。
【００２５】
このように、本実施形態に係る需給情報生成部２３０が生成する需給情報によれば、スキルセットごとの需給状況を客観的かつ動的に把握することが可能となる。
【００２６】
また、本実施形態に係る需給情報生成部２３０は、第１のユーザが入力する希望報酬額と、第２のユーザが入力する支払報酬額と、にさらに基づいて上記の需給情報を生成してよい。本実施形態に係る需給情報生成部２３０が生成する需給情報は、上記の希望報酬額および支払報酬額の分布を含むものであってもよい。
【００２７】
例えば、図１に示す一例の場合、本実施形態に係る情報処理サーバ２０の表示制御部２４０は、需給情報生成部２３０が生成した需給情報を板表現を用いて画面Ｓ１上に表示させている。すなわち、本実施形態では、第１のユーザによる人的資源の提供希望を売り注文、第２のユーザによる人的資源の募集を買い注文としてとらえ、金融商品のように売り板および買い板として表示することができる。
【００２８】
例えば、図１においては、複数の第１のユーザによる売り注文ＳＯ１１〜ＳＯ１９の分布が、第１のユーザそれぞれが入力した希望報酬額に基づいて示されている。また、同様に、複数の第２のユーザによる買い注文ＰＯ１１〜ＰＯ１９の分布が、第２のユーザそれぞれが入力した支払報酬額に基づいて示されている。
【００２９】
本実施形態に係る上記のような需給情報の表示によれば、第１のユーザおよび第２のユーザの双方が、該当するスキルセットの市場価値を直観的かつ明確に把握することが可能となる。
【００３０】
例えば、図１に示す一例の場合、希望報酬額を１２０万円とする売り注文ＳＯ１１が存在するが、買い注文ＰＯの支払報酬額の最大値は、１００万円となっている。このことから、売り注文ＳＯ１１を行った第１のユーザは、自身が入力した希望報酬額が市場と一致していないことを把握し、買い注文ＰＯ１１〜ＰＯ１９の分布に合わせて希望報酬額を修正することで、契約の可能性を高めることができる。
【００３１】
また、例えば、図１に示す一例の場合、支払報酬額を２８万円とする買い注文ＰＯ１９が存在するが、売り注文ＳＯの希望報酬額の最低値は、４０万円となっている。
【００３２】
また、図１に示す一例では、売り注文ＳＯとは別に該当するスキルセットを有する第１のユーザの母数が示されている。例えば、報酬額が１１０万以上の場合、母数は４２人となっているが、これは該当するスキルセットを有しており希望報酬額を１１０万円以上に設定している第１のユーザが４２人いることを示している。一方、希望報酬額を１１０万円以上に設定している売り注文ＳＯは、売り注文ＳＯ１１の１つのみであることから、４２人中の１人のみが実際に売り注文ＳＯを出していることがわかる。
【００３３】
一方、報酬額が３０万円以下の場合、母数自体が０であることから、今後も同金額帯で売り注文ＳＯが出される可能性は極めて低いといえる。このことから、買い注文ＰＯ１９を行った第２のユーザは、設定した支払報酬額が市場と一致していないことを把握し、売り注文ＳＯ１１〜ＳＯ１９の分布に合わせて支払報酬額を修正することで、人材資源獲得の可能性を高めることができる。
【００３４】
以上、本実施形態に係る需給情報の表示例について説明した。このように、本実施形態に係る情報処理サーバ２０によれば、人的資源に係る需給をスキルセットごとに客観的に示し、第１のユーザおよび第２のユーザの両者に当該スキルセットの市場価値を明確に把握させることができる。係る機能によれば、両者に報酬額設定の見直す機会を与え、正当な市場競争を促進することが可能となる。
【００３５】
＜＜１．２．システム構成例＞＞
次に、本実施形態に係る情報処理システムの構成例について説明する。図２は、本実施形態に係るシステム構成例および情報処理サーバ２０の機能構成例を示すブロック図である。図２に示すように、本実施形態に係る情報処理システムは、情報処理端末１０および情報処理サーバ２０を備える。また、情報処理端末１０と情報処理サーバ２０は、互いに通信が可能なようにネットワーク３０を介して接続される。
【００３６】
（情報処理端末１０）
本実施形態に係る情報処理端末１０は、第１のユーザおよび第２のユーザが情報の入力および閲覧に利用する情報処理装置である。本実施形態に係る表示制御部２４０は、第１のユーザや第２のユーザが情報処理端末１０を介してアクセスするユーザインタフェースの制御を行う。
【００３７】
本実施形態に係る情報処理端末１０は、例えば、ＰＣ（Ｐｅｒｓｏｎａｌ  Ｃｏｍｐｕｔｅｒ）、スマートフォン、タブレット等であってもよい。
【００３８】
（情報処理サーバ２０）
本実施形態に係る情報処理サーバ２０は、人的資源に係る需給情報をスキルセットごとに生成し、当該需給情報の表示を制御する情報処理装置である。
【００３９】
（ネットワーク３０）
ネットワーク３０は、情報処理端末１０と情報処理サーバ２０とを接続する機能を有する。ネットワーク３０は、インターネット、電話回線網、衛星通信網等の公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等を含んでもよい。また、ネットワーク３０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等の専用回線網を含んでもよい。また、ネットワーク３０は、Ｗｉ−Ｆｉ（登録商標）、Ｂｌｕｅｔｏｏｔｈ（登録商標）等無線通信網を含んでもよい。
【００４０】
以上、本実施形態に係る情報処理システムの構成例について述べた。なお、図２を用いて説明した上記の構成はあくまで一例であり、本実施形態に係る情報処理システムの構成は係る例に限定されない。本実施形態に係る情報処理システムの構成は、仕様や運用に応じて柔軟に変形可能である。
【００４１】
続いて、本実施形態に係る情報処理サーバ２０の機能構成例について説明する。図２に示すように、本実施形態に係る情報処理サーバ２０は、登録部２１０、注文情報生成部２２０、需給情報生成部２３０、表示制御部２４０、解析部２５０、および通信部２６０を備える。
【００４２】
（登録部２１０）
本実施形態に係る登録部２１０は、情報処理端末１０から受信した入力情報に基づいて、ユーザ情報やスキル情報、報酬額等の登録を行う。例えば、本実施形態に係る登録部２１０は、第１のユーザが入力した情報に基づいて、当該第１のユーザに係る保有スキル情報の登録を行う。また、例えば、登録部２１０は、第１のユーザが入力した情報に基づいて、当該第２のユーザに係る希望スキル情報の登録を行う。
【００４３】
さらには、本実施形態に係る登録部２１０は、第１のユーザがアップロードしたコンテンツに基づいて当該第１のユーザに係る保有スキル情報を自動で生成する機能を有してよい。当該機能の詳細については、別途後述する。
【００４４】
（注文情報生成部２２０）
本実施形態に係る注文情報生成部２２０は、人的資源の提供に係る売り注文情報、および報酬の提供に係る買い注文情報を生成する。注文情報生成部２２０は、登録部２１０が登録した第１のユーザの保有スキル情報と希望報酬額とに基づいて、売り注文ＳＯに対応する売り注文情報を生成してよい。また、注文情報生成部２２０は、第２のユーザの希望スキル情報と支払報酬額とに基づいて買い注文ＰＯに対応する買い注文情報を生成してよい。
【００４５】
（需給情報生成部２３０）
本実施形態に係る需給情報生成部２３０は、第１のユーザと第２のユーザとの間の需給を示す需給情報を生成する。この際、本実施形態に係る需給情報生成部２３０は、第１のユーザの保有スキル情報と第２のユーザの希望スキル情報との間で一致するスキルセットごとに需給情報を生成すること、を特徴の一つとする。
【００４６】
具体的には、本実施形態に係る需給情報生成部２３０は、注文情報生成部２２０が生成した売り注文情報および買い注文情報の分布を含む需給情報をスキルセットごとに生成してよい。また、本実施形態に係る需給情報生成部２３０は、第１のユーザや第２のユーザが入力した検索条件（スキル条件）に基づいて、需給情報を動的に生成することが可能である。
【００４７】
（表示制御部２４０）
本実施形態に係る表示制御部２４０は、需給情報生成部２３０が生成した需給情報の表示を制御する。本実施形態に係る表示制御部２４０は、例えば、上述したように、需給情報を板表現を用いてユーザインタフェース上に表示させる。
【００４８】
（解析部２５０）
本実施形態に係る解析部２５０は、情報処理サーバ２０が受信または生成した各種の情報を用いた解析を行う。本実施形態に係る解析部２５０は、例えば、契約の成約時、契約中、契約の終了時等に収集した情報に基づいて、第１のユーザや第２のユーザに係る因果解析を行ってもよい。
【００４９】
（通信部２６０）
本実施形態に係る通信部２６０は、ネットワーク３０を介して情報処理端末１０との情報通信を行う。例えば、通信部２６０は、第１のユーザや第２のユーザが入力した各種の情報を情報処理端末１０から受信する。また、例えば、通信部２６０は、表示制御部２４０が生成するユーザインタフェースの制御信号を情報処理端末１０に送信する。
【００５０】
以上、本実施形態に係る情報処理サーバ２０の機能構成例について述べた。なお、図２を用いて説明した上記の構成はあくまで一例であり、本実施形態に係る情報処理サーバ２０の機能構成は係る例に限定されない。例えば、情報処理サーバ２０は、上記に挙げた以外の構成をさらに備えてもよいし、上記の構成は複数の装置により分散されて実装されてもよい。本実施形態に係る情報処理サーバ２０の機能構成は、仕様や運用に応じて柔軟に変形可能である。
【００５１】
＜＜１．３．機能の詳細＞＞
次に、本実施形態に係る情報処理サーバ２０が有する機能について詳細に説明する。なお、以下では、本実施形態に係る第１のユーザが企業等の団体による雇用を望む求職者であり、第２のユーザが条件に合致する人的資源の採用を望む団体である場合において、本実施形態に係る情報処理サーバ２０が両者のマッチングを支援するＷｅｂサービスを制御する場合の例を述べる。
【００５２】
まず、本実施形態に係る第１のユーザによる情報登録の流れについて述べる。図３は、本実施形態に係る第１のユーザの情報登録画面の一例を示す図である。本実施形態に係る表示制御部２４０は、第１のユーザが情報処理端末１０をアクセスするユーザインタフェース上の図示するような画面Ｓ３を表示させてよい。
【００５３】
第１のユーザは、画面Ｓ１において各種の操作を行うことで、自身に関する情報の登録を行うことができる。例えば、第１のユーザは、ボタンｂ３１を操作することで、個人情報の登録を行えてもよい。この場合、ボタンｂ３１は、氏名等の個人情報を入力するための画面へのリンクとして機能する。
【００５４】
また、第１のユーザは、タブｔ３１を操作することで、職種を選択することができてもよい。この場合、タブｔ３１は、職種ごとに設定される入力項目の切り替えを制御する。
【００５５】
また、第１のユーザは、ボタンｂ３２〜ボタンｂ３５等を操作することで、各種の情報を入力する。ボタンｂ３２は、職種のカテゴリを入力するための画面へのリンクであってよい。
【００５６】
図４は、本実施形態に係るカテゴリ入力画面の一例を示す図である。本実施形態に係るカテゴリとは、職種をさらに細分化するための項目である。例えば、職種がエンジニア（ＩＴ）である場合、Ｗｅｂ・システム開発、スマートフォンアプリ・モバイルアプリケーション開発、運用・管理・保守、業務システム。ツール開発、ＥＣサイト・ネットショップ等のカテゴリが選択可能であってもよい。
【００５７】
この場合、本実施形態に係る第１のユーザは、画面Ｓ４において、自身の経験に応じたカテゴリを選択し、また経験に応じたスキルレベル（例えば、シニアレベル、スタッフレベル等）を入力できてもよい。また、ユーザは、例えば、経験年数や役割（例えば、プロジェクトマネージャ、ユニットリーダー等）、経験したプロジェクトの種別（業界等を含む）や規模等を入力することができる。なお、上記のように入力された職種およびカテゴリは、本実施形態に係る保有スキル情報の一部として扱われてよい。
【００５８】
再度図３を参照して説明を続ける。ボタンｂ３３は、希望する仕事スタイルを入力するための画面へのリンクであってよい。仕事スタイルとしては、例えば、常住や在宅（リモート）等が挙げられる。
【００５９】
また、ボタンｂ３４は、希望する勤務地を選択するための画面へのリンクであってよい。例えば、仕事スタイルで在宅を選択した場合、第１のユーザは国内における地域のみではなく、世界規模で国や地域の選択を行えてもよい。本実施形態に係る情報処理サーバ２０が実現するＷｅｂサービスによれば、世界規模における人的資源の需給に基づいて、マッチングを行うことも可能である。
【００６０】
また、ボタンｂ３５は、保有するスキルを入力するための画面へのリンクであってよい。図５は、本実施形態に係るスキル入力画面の一例を示す図である。なお、図５には、職種がエンジニア（ＩＴ）である場合の画面Ｓ５が例示されている。
【００６１】
この場合、第１のユーザは、画面Ｓ５において、例えば、自身が使用可能なプログラミング言語等を選択することができる。また、カテゴリの場合と同様に、第１のユーザは、スキルレベルの入力を行えてよい。
【００６２】
再度図３を参照して説明を続ける。フィールドｆ３１は、希望する就労時期を設定するためのフィールドであり、フィールドｆ３２は、希望報酬額を入力するためのフィールドである。一般的なサービスとは異なり、本実施形態では、第１のユーザが、任意の時期および任意の希望報酬額を指定して売り注文ＳＯを登録することが可能である。これによれば、需給の流動の激しい業界においても、時宜にかなう柔軟かつ高精度なマッチングを実現することができる。なお、フィールドｆ３３は、上述した以外の項目に係るキーワード等を、第１のユーザが自由に登録することができるフィールドであってよい。
【００６３】
また、ボタンｂ３６は、第１のユーザが職種に応じたコンテンツをアップロードするための画面へのリンクであってよい。本実施形態に係る登録部２１０は、第１のユーザがアップロードしたコンテンツに基づいて、当該第１のユーザに係る保有スキル情報を自動で生成することも可能である。
【００６４】
図６は、本実施形態に係るコンテンツに基づく保有スキル情報の自動登録について説明するための図である。例えば、図６の上段には、第１のユーザの職種がエンジニア（ＩＴ）である場合の一例が示されている。
【００６５】
この場合、本実施形態に係る登録部２１０は、第１のユーザが作成しアップロードしたソースコードＣを解析することで、ソースコードＣに用いられているプログラミング言語を特定することが可能である。また、本実施形態に係る登録部２１０は、ソースコードＣを解析することでステップ数等の情報や、品質を取得してもよい。本実施形態に係る登録部２１０は、上記のような解析結果に基づいて、図示するような保有スキル情報ＳＩ１を自動で登録することが可能である。
【００６６】
また、図６の下段には、第１のユーザの職種がデザイナである場合の一例が示されている。この場合、第１のユーザは自身が作成したコンテンツとして、絵や写真、その他デザインに係る画像Ｉをアップロードする。この際、本実施形態に係る登録部２１０は、例えば、機械学習アルゴリズム等を用いて画像Ｉを解析し、画像Ｉの画風、すなわち第１のユーザの作風（例えば、Ｃｕｔｅ、Ｃｏｏｌ、Ｎａｔｕｒａｌ等）を判定する。また、登録部２１０は、判定結果に基づいて、図示するような保有スキル情報ＳＩ２を自動で登録することができる。
【００６７】
なお、登録部２１０は、予めの教師学習等により生成された判定器を用いることで、上記のような判定を行うことが可能である。
【００６８】
このように、本実施形態に係る登録部２１０は、ソースコードに限らず、第１のユーザが生成した種々のコンテンツに基づいて保有スキル情報を自動登録することができる。コンテンツの一例としては、例えば、職種が歌手・声優・アナウンサー・司会等の場合には、声を録音した音声データが、職種がダンサーの場合には、ダンスを録画した動画データが挙げられる。
【００６９】
なお、本実施形態に係る登録部２１０は、他のＷｅｂサービス等にアップロードされたコンテンツに基づいて上記のような保有スキル情報の自動登録を行ってもよい。例えば、エンジニアが生成したソースコードを保管・公開するＷｅｂサービスが存在する場合、本実施形態に登録部２１０は、当該Ｗｅｂサービスとの連携の下に取得したソースコードを解析してよい。
【００７０】
以上、本実施形態に係る第１のユーザの情報登録の流れと画面例について述べた。本実施形態に係る第１のユーザは、上述したように各種の情報を入力後、図３に示すボタンｂ３７を押下することで、自身の情報を登録することができる。なお、ボタンｂ３７の押下による情報登録は、売り注文ＳＯの登録とは区別される。本実施形態に係る第１のユーザは、自身の情報の登録を行ったうえで、任意の時点で売り注文ＳＯを登録することが可能である。本実施形態に係る売り注文ＳＯの登録については別途後述する。
【００７１】
続いて、本実施形態に係る第１のユーザのポートフォリオの表示例について述べる。図７は、本実施形態に係る第１のユーザのポートフォリオを表示する画面の一例を示す図である。本実施形態に係る表示制御部２４０は、第１のユーザに係る登録情報や売り注文ＳＯ、契約情報に加え、共通のスキルセットを有する他の売り注文ＳＯや買い注文ＰＯ等の情報に基づいて、第１のユーザのポートフォリオをまとめ、図示するような画面Ｓ７として表示させることができる。画面Ｓ７は、対応する第１のユーザのほか、第２のユーザにより閲覧が可能な画面であってよい。
【００７２】
第２のユーザは、例えば、第１のユーザが登録した売り注文ＳＯを選択することで、詳細情報として画面Ｓ７が確認可能であってもよい。本実施形態に係る画面Ｓ７には、例えば、第１のユーザのプロフィールや保有するスキルセットが表示される。表示制御部２４０は、第１のユーザが入力した個人情報や、保有スキル情報に基づいて画面Ｓ７上にプロフィールやスキルセットを表示させることができる。情報
【００７３】
また、本実施形態に係る表示制御部２４０は、過去に登録された売り注文ＳＯや買い注文ＰＯに基づく需給情報、また成約実績等に基づいて、第１のユーザが保有するスキルセットに対応する報酬相場情報の表示を制御してもよい。例えば、図７に示す一例の場合、表示制御部２４０は、対象となる第１のユーザと同等のスキルセットを有する他の第１のユーザの過去の成約実績に基づいて、最高報酬額および最低報酬額を時系列に表示させている。このような報酬相場情報は、第１のユーザと第２のユーザに係る需給を示す情報の一種といえる。
【００７４】
このように、本実施形態に係る表示制御部２４０は、需給情報や成約実績等の契約情報に基づいて、第１のユーザと第２のユーザとに係る需給の遷移をスキルセットごとに時系列に表示させることが可能である。なお、表示制御部２４０は、報酬相場に限らず、売り注文ＳＯや買い注文ＰＯの登録数等を時系列に表示させてもよい。
【００７５】
また、本実施形態に係る表示制御部２４０は、解析部２５０が予測した第１のユーザと第２のユーザとに係る需給の予測をスキルセットごとに表示させてもよい。本実施形態に係る解析部２５０は、公知の推定技術を用いて、需給予測を行ってよい。
【００７６】
上記のような表示によれば、第１のユーザや第２のユーザが、該当するスキルセットの市場価値の遷移を、過去・現在・未来の観点から把握することができ、適切な報酬設定を行うことが可能となる。なお、上記のような需給の遷移は、画面Ｓ７以外からも確認が可能であってよい。
【００７７】
また、本実施形態に係る表示制御部２４０は、画面Ｓ７において、該当する第１のユーザの過去の成約事例に係る情報を表示させてもよい。図７に示す一例の場合、表示制御部２４０は、第１のユーザが過去に第２のユーザとの契約に至った３つの案件（買い注文ＰＯ）の情報を表示させている。
【００７８】
この際、第のユーザおよび第２のユーザは、例えば、ボタンｂ７２を押下することで、各案件の詳細を確認することができてよい。図８は、本実施形態に係る第１のユーザに係る過去の成約情報の詳細を表示する画面の一例を示す図である。
【００７９】
図８に示す一例の場合、表示制御部２４０は、第１のユーザが成約に至った買い注文ＰＯの情報を画面Ｓ８上に表示させ、さらに契約時における契約報酬額と報酬相場とを表示させている。本例では、過去において第１のユーザが第２のユーザが登録した買い注文ＰＯに関し、契約報酬額￥７７５，０００で契約に至ったこと、また契約時点において当該第１のユーザと同等のスキルセットを有する人的資源（他の第１のユーザ）の最高報酬額が￥９７５，０００であり、最低報酬額が￥５７５，０００であったこと、が示されている。
【００８０】
このように、本実施形態に係る表示制御部２４０は、契約時における契約報酬額情報と報酬相場情報とを含む成約情報の表示を制御することが可能である。係る制御によれば、上記の情報を確認した第２のユーザが、過去の市場における第１のユーザの価値を客観的に把握することができる。これによれば、第２のユーザが、第１のユーザの前職における報酬の妥当性等を考慮し、適切な支払報酬額を設定することが可能となる。
【００８１】
なお、第２のユーザは、図７や図８に示した確認の情報を確認し、第１のユーザが求める条件と合致していると判断した場合、例えば、図７に示すボタンｂ７１を押下することにより、当該第１のユーザとの交渉を行うことができてよい。本実施形態に係る契約の交渉については別途後述する。
【００８２】
また、本実施形態に係る表示制御部２４０は、第１のユーザがさらなるスキルを獲得した場合における報酬相場情報の表示を制御してもよい。第１のユーザは、例えば、図７に示す画面Ｓ７において、ボタンｂ７３を押下することで、当該報酬相場情報を確認することができる。
【００８３】
図９は、本実施形態に係る第１のユーザへのスキル獲得提案について説明するための図である。図９に示す一例の場合、本実施形態に係る表示制御部２４０は、画面Ｓ９の左側に各種のスキル情報を、右側にスキルセットに応じた相場に対応する曲線Ｃ１〜Ｃ３を含む相場情報を表示させている。
【００８４】
ここで、第１のユーザの現時点における保有スキルセットは、Ｊａｖａｓｃｒｉｐｔ（登録商標）、ＰＨＰ、ＮｏＳＱＬとする。また、曲線Ｃ１は、当該保有スキルに応じた相場に対応する。
【００８５】
一方、Ｒｕｂｙ  ｏｎ  ＲａｉｌｓおよびＣａｋｅＰＨＰについては、第１のユーザが現時点で保有していないスキルである。この際、表示制御部２４０は、として、第１のユーザが当該スキルを獲得した場合の相場情報を曲線Ｃ２およびＣ３として表示してよい。なお、図９に示す一例の場合、表示制御部２４０は、スキルと曲線とを同一のハッチングにより対応付けている。
【００８６】
上記の制御によれば、第１のユーザは、提示されたスキルを獲得した場合に自身の市場価値、ひいては報酬がどれだけ上がるのかを直観的かつ明確に把握することができ、自己研さんの指標とすることができる。
【００８７】
以上、第１のユーザに係る情報の登録と表示について述べた。次に、本実施形態に係る第１のユーザによる買い注文ＰＯの検索と売り注文ＳＯの登録について述べる。
【００８８】
図１０は、本実施形態に係る買い注文ＰＯの検索画面の一例を示す図である。第１のユーザまたは第２のユーザは、例えば、図示するような画面Ｓ１０において、各種の情報を入力し、ボタンｂ１０５を押下することで、入力した条件に基づく買い注文ＰＯの検索を行うことができる。また、第１のユーザは、ボタンｂ１０６を押下することで、図３に示す画面３で登録した情報に基づく検索を行えてもよい。
【００８９】
なお、画面Ｓ１０におけるタブｔ１０１、ボタンｂ１０１〜ｂ１０４、フィールドｆ１０１〜ｆ１０３については、図３に示したタブｔ３１、ボタンｂ３２〜ｂ３５、フィールドｆ３１〜ｆ３３と同等の機能を有してよいため、詳細な説明を省略する。
【００９０】
図１１は、本実施形態に係る買い注文ＰＯの検索結果画面を示す一例である。図１１に一例として示す画面Ｓ１１では、最上部に、検索条件として用いられたスキル条件ＳＣ１１１が表示されている。また、タブｔ１１１は、スキル条件ＳＣ１１１に合致する買い注文ＰＯの最高値（最高支払報酬額）または売り注文ＳＯの最低値（最低支払報酬額）の表示を切り替える機能を有する。
【００９１】
また、画面Ｓ１１の中段には、スキル条件ＳＣ１１１に合致するすべての売り注文ＳＯおよび買い注文ＰＯの設定報酬額（希望報酬額または支払報酬額）の分布を示す需給情報ＳＤ１１１が示されている。
【００９２】
第１のユーザおよび第２のユーザは、図示するような需給情報ＳＤ１１１を確認することで、スキル条件ＳＣ１１１に対応する市場相場を直観的に把握することができる。
【００９３】
また、需給情報ＳＤ１１１に含まれる非売りユーザＮＳＵは、スキル条件ＳＣ１１１に合致するスキルセットを有しており、かつ売り注文ＳＯを登録していない第１のユーザを示している。このような表示によれば、スキル条件ＳＣ１１１に合致するスキルセットを有する第１のユーザが市場にどの程度存在しているかを把握することができ、また将来的に売り注文ＳＯが登録される可能性を予測することができる。
【００９４】
なお、第１のユーザおよび第２のユーザは、需給情報ＳＤ１１１の下方に配置されるボタンｂ１１１を押下することで、図１に例示したような板表現による需給情報の表示に切り替えることができてよい。また、第１のユーザおよび第２のユーザは、図１に示す画面Ｓ１に配置されるボタンｂ１１を押下することで、図１１に示す画面Ｓ１１に復帰できてよい。
【００９５】
また、画面Ｓ１１には、下部に示すように、各買い注文ＰＯの概要が一覧形式で表示されてもよい。また、当該表示は、例えば、ボタンｂ１１３の操作により任意の項目に基づいて並び替えができてよい。図１１に示す一例の場合、画面Ｓ１１には、支払報酬額が高い順に買い注文ＰＯ１１１およびＰＯ１１２等の概要が示されている。
【００９６】
このように、本実施形態に係る表示制御部２４０は、スキル条件Ｓ１１１に基づく買い注文ＰＯの検索結果を需給情報ＳＤ１１１等と共に表示することができる。これによれば、第１のユーザが、表示される各情報を確認したうえで成約の可能性がある妥当な希望報酬額を決定することが可能となる。また、第１のユーザは、フィールドｆ１１１に決定した希望報酬額を入力し、ボタンｂ１１２を押下することで、売り注文ＳＯを登録することができる。
【００９７】
続いて、本実施形態に係る第２のユーザによる買い注文ＰＯの登録について説明する。図１２は、本実施形態に係る買い注文ＰＯの登録画面の一例を示す図である。本実施形態に係る第２のユーザは、図１２に示す画面Ｓ１２において、求めるスキルセット等の情報を入力し、ボタンｂ１２５を押下することで、買い注文ＰＯを登録することができる。
【００９８】
なお、画面Ｓ１２におけるタブｔ１２１、ボタンｂ１２１〜ｂ１２４、フィールドｆ１２１〜ｆ１２３については、図３に示したタブｔ３１、ボタンｂ３２〜ｂ３５、フィールドｆ３１〜ｆ３３と同等の機能を有してよいため、詳細な説明を省略する。
【００９９】
また、本実施形態に係る第２のユーザは、図１１に示した検索結果の表示画面において需給情報を確認したうえで、希望報酬額の入力や買い注文ＰＯの登録が行えてもよい。
【０１００】
図１３は、上記のように登録された買い注文ＰＯの詳細情報を示す画面の一例である。図１３に一例として示す画面Ｓ１３では、第２のユーザが入力した内容に基づいて、買い注文ＰＯの概要、詳細、必須スキル、歓迎スキル、契約報酬（支払報酬額）、および雇用条件が表示されている。ここで、上記の必須スキルは、第２のユーザが図１２に示す画面Ｓ１２において入力したスキルに基づいて登録される希望スキル情報に対応するものであってよい。すなわち、上記の必須スキルは、売り注文とのマッチングに用いられるスキルセットを示す。
【０１０１】
なお、本実施形態に係る第１のユーザは、図１や図１１に示す各買い注文ＰＯを押下することにより、画面Ｓ１３に遷移できてよい。また、第１のユーザは、画面Ｓ１３に表示される詳細情報を確認し、自身が求める条件と合致していると判断した場合、ボタンｂ１３１を押下することで、買い注文ＰＯを登録した第２のユーザとの契約交渉を行うことができる。
【０１０２】
この際、本実施形態に係る表示制御部２４０は、画面Ｓ１３に配置されるボタンｂ１３１の押下や、画面Ｓ７に配置されるボタンｂ７１の押下等、第１のユーザまたは第２のユーザの要求に基づいて、両者間の契約交渉に係るチャットを制御してよい。なお、本実施形態に係るチャットには、テキストチャットやビデオチャット等が広く含まれる。
【０１０３】
図１４は、本実施形態に係る表示制御部２４０による、第１のユーザおよび第２のユーザ間のチャット制御について説明するための図である。図１４に示す一例の場合、表示制御部２４０は、第１のユーザまたは第２のユーザの要求に応じて、両者が契約交渉を行うためのビデオチャットを開始させている。
【０１０４】
このように、本実施形態に係る情報処理サーバ２０が実現するＷｅｂサービスによれば、第１のユーザまたは第２のユーザによる要求に基づいて、面接等を含む契約交渉を即時開始することが可能である。これによれば、変動の激しい市場において時期を逸することなく契約交渉を行うことができ、双方の利益を高めることができる。
【０１０５】
なお、第１のユーザおよび第２のユーザは、報酬額等に応じて、上述のようなチャットを受け入れるか否かを設定できてよい。例えば、第１のユーザは、自身が設定した希望報酬額以上の支払報酬額を設定している第２のユーザからのみチャットを受け入れるように設定することができてもよい。反対に、第２のユーザは、設定した支払報酬額以下の希望報酬額を設定している第１のユーザからのチャットのみを受け入れるように設定することができる。本実施形態に係る表示制御部２４０は、上記のような設定に基づいて両者間のチャットの可否を制御することが可能である。
【０１０６】
また、本実施形態に係る表示制御部２４０は、両者間の交渉を円滑に進めさせるため、第１のユーザが契約を交渉中である第２のユーザの支払報酬額や、第２のユーザが契約を交渉中である第１のユーザの希望報酬額の表示を制御してもよい。
【０１０７】
図１５は、本実施形態に係る契約交渉中の他のユーザに係る報酬額の表示について説明するための図である。本実施形態に係る表示制御部２４０は、例えば、図中左側に示すように、第１のユーザのポートフォリオを表示する画面Ｓ７において、当該第１のユーザが契約を交渉中である案件（買い注文ＰＯ）と当該案件に設定される契約報酬（支払報酬額）の一覧を表示してもよい。
【０１０８】
このような一覧表示によれば、第２のユーザが、競合相手である他の第２のユーザが設定している支払報酬額を把握したうえで、第１のユーザと交渉に臨むことができ、当該第１のユーザを獲得することができる可能性を高めることができる。また、この際、第２のユーザは、画面Ｓ７に配置されるボタンｂ１５１を押下することで、登録済みの買い注文ＰＯに係る支払報酬額を修正し、チャットの開始要求を行うことができてもよい。
【０１０９】
同様に、本実施形態に係る表示制御部２４０は、図中右側に示すように、買い注文ＰＯの詳細情報を表示する画面Ｓ１３において、当該買い注文ＰＯを登録した第２のユーザが契約を交渉中である第１のユーザと当該第１のユーザが設定している希望報酬額の一覧を表示してもよい。
【０１１０】
このような一覧表示によれば、第１のユーザが、競合相手である他の第１のユーザが設定している希望報酬額を把握したうえで、第２のユーザと交渉に臨むことができ、自身が採用される可能性を高めることができる。また、この際、第１のユーザは、画面Ｓ１３に配置されるボタンｂ１５２を押下することで、登録済みの売り注文ＳＯに係る希望報酬額を修正し、チャットの開始要求を行うことができてもよい。
【０１１１】
このように、本実施形態に係る表示制御部２４０は、契約を交渉中の他のユーザが設定する報酬額を表示することで競合間の価格競争を促進し、市場価格の適正化に貢献することができる。
【０１１２】
以上、本実施形態に係る情報処理サーバ２０が有する機能について詳細に述べた。当該機能を有する本実施形態に係る情報処理サーバ２０によれば、人的資源の市場価値を客観的に示し、正当な市場競争を促進することが可能となる。なお、上述した機能等はあくまで一例であり、本実施形態に係る情報処理サーバ２０が有する機能は係る例に限定されない。
【０１１３】
例えば、上記では、第２のユーザが、求める人的資源一人ひとりごとに買い注文ＰＯを登録する場合を例に述べたが、本実施形態に係る注文情報生成部２２０は、第２のユーザが入力した希望スキル情報や支払報酬額に基づいて、異なるスキルセットを指定する複数の買い注文情報を自動で生成してもよい。
【０１１４】
図１６は、本実施形態に係る注文情報生成部２２０による、複数の買い注文情報の自動生成について説明するための図である。図１６の左側には、第２のユーザにより入力された、希望スキル情報および支払報酬額（契約報酬）を含む入力情報ＩＮの一例が示されている。
【０１１５】
この際、本実施形態に係る注文情報生成部２２０は、例えば、入力情報ＩＮに対応するスキルセットや支払報酬額を分割することで複数の買い注文情報を生成してもよい。図１６の右側には、注文情報生成部２２０が生成した複数の注文情報に対応する買い注文ＰＯ１６１およびＰＯ１６２が示されている。なお、この際、注文情報生成部２２０は、登録されている第１のユーザの保有スキルセットを考慮し、分割後のスキルセットを保有する第１のユーザが市場に存在するように分割を行うことができる。
【０１１６】
本実施形態に係る注文情報生成部２２０は、例えば、第２のユーザによる要求に基づいて上記のような分割処理を行ってもよい。この場合、第２のユーザは、プロジェクトに必要な全スキルセットや同プロジェクトに予定する総人件費を入力し分割を指示することで、当該プロジェクトの遂行に必要な複数の人的資源の応募に係る買い注文ＰＯを同時に登録することができる。
【０１１７】
また、本実施形態に係る注文情報生成部２２０は、第２のユーザが入力した希望スキル情報に対応するスキルセットを保有する第１のユーザが市場に存在しない場合に上記のような分割を行い、買い注文ＰＯを複数に分割することを当該第２のユーザに提案してもよい。この場合、第２のユーザは、自身が入力した条件が市場にマッチしていないことを把握し、適正な買い注文ＰＯを登録することができる。
【０１１８】
一方で、本実施形態に係る買い注文ＰＯや売り注文ＳＯは、複数の人的資源を指定するものであってもよい。このような注文によればチーム単位での募集や応募を市場価格に合致した報酬額で行うことが可能となる。
【０１１９】
＜＜１．４．処理の流れ＞＞
次に、本実施形態に係る情報処理システムの処理の流れについて詳細に説明する。図１７は、本実施形態に係る情報処理システムの処理の流れを示すフローチャートである。なお、以下において説明する処理の流れは、上述した各機能等の流れを概略的に示したものであり、本実施形態に係る情報処理システムは、第１のユーザや第２のユーザによる操作に応じて柔軟な処理を行うことが可能である。
【０１２０】
図１７を参照すると、まず、情報処理端末１０において、第１のユーザによる保有スキル情報および希望報酬額の入力が行われる（Ｓ１１０１）。この際、本実施形態に登録部２１０は、情報処理端末１０から受信した情報に基づいて各種の情報登録を行う。
【０１２１】
次に、本実施形態に係る注文情報生成部２２０が、登録された保有スキル情報や希望報酬額に基づいて、売り注文情報を生成する（Ｓ１１０２）。
【０１２２】
また、ステップＳ１１０１およびＳ１１０２と並行して、情報処理端末１０において、第２のユーザによる希望スキル情報および支払報酬額の入力が行われる（Ｓ１１０３）。この際、本実施形態に係る登録部２１０は、情報処理端末１０から受信した情報に基づいて各種の情報登録を行う。
【０１２３】
次に、本実施形態に係る注文情報生成部２２０が、登録された希望スキル情報や支払報酬額に基づいて、買い注文情報を生成する（Ｓ１１０４）。
【０１２４】
次に、本実施形態に係る需給情報生成部２３０が、入力されたスキルセット等の検索条件に基づいて、当該スキルセットごとに需給情報を動的に生成する（Ｓ１１０５）。また、表示制御部２４０は、需給情報生成部２３０が生成した需給情報等を検索結果としてユーザインタフェース上に表示させる。
【０１２５】
次に、表示制御部２４０は、第１のユーザまたは第２のユーザによる要求に基づいて、交渉に係るチャットを制御する（Ｓ１１０６）。
【０１２６】
また、第１のユーザおよび第２のユーザによる契約が成立した場合、表示制御部２４０は、契約書や契約時アンケートをユーザインタフェース上に表示させ、両ユーザにより入力された入力内容を保存する（Ｓ１１０７）。契約時アンケートは、例えば、契約時における相手方の印象を問う内容であってもよい。
【０１２７】
また、契約中においても、表示制御部２４０は、定期または不定期に契約中アンケートをユーザインタフェース上に表示させ、両ユーザにより入力された入力内容を保存する（Ｓ１１０８）。契約中アンケートは、例えば、契約後における相手方の印象の変化や、契約内容が順守されているか否か、また第１のユーザの勤務態度や第２のユーザの指揮の妥当性等を問う内容であってもよい。
【０１２８】
また、契約が終了した場合、表示制御部２４０は、契約終了時アンケートをユーザインタフェース上に表示させ、両ユーザにより入力された入力内容を保存する（Ｓ１１０９）。契約終了時アンケートは、契約終了時における相手方の印象等を問う内容であってもよい。
【０１２９】
次に、本実施形態に係る解析部２５０が、ステップＳ１１０７〜Ｓ１１０９において保存された各アンケートの内容に基づいて、第１のユーザや第２のユーザに係る因果解析を行い、レポートを生成する（Ｓ１１１０）。
【０１３０】
解析部２５０は、例えば、第１のユーザや第２のユーザが契約の開始または終了に至った原因と結果の関係性を解析し、解析結果に基づくレポートを生成することが可能である。このようなレポートによれば、契約の交渉に臨む第１のユーザや第２のユーザが、相手方の特性を把握することで交渉を上手く進めることや、契約後に関係を良好に保つこと、また契約自体を考え直すこと、などが可能となる。
【０１３１】
＜２．ハードウェア構成例＞
次に、本開示の一実施形態に係る情報処理サーバ２０のハードウェア構成例について説明する。図１８は、本開示の一実施形態に係る情報処理サーバ２０のハードウェア構成例を示すブロック図である。図１８に示すように、情報処理サーバ２０は、例えば、プロセッサ８７１と、ＲＯＭ８７２と、ＲＡＭ８７３と、ホストバス８７４と、ブリッジ８７５と、外部バス８７６と、インターフェース８７７と、入力装置８７８と、出力装置８７９と、ストレージ８８０と、ドライブ８８１と、接続ポート８８２と、通信装置８８３と、を有する。なお、ここで示すハードウェア構成は一例であり、構成要素の一部が省略されてもよい。また、ここで示される構成要素以外の構成要素をさらに含んでもよい。
【０１３２】
（プロセッサ８７１）
プロセッサ８７１は、例えば、演算処理装置又は制御装置として機能し、ＲＯＭ８７２、ＲＡＭ８７３、ストレージ８８０、又はリムーバブル記録媒体９０１に記録された各種プログラムに基づいて各構成要素の動作全般又はその一部を制御する。
【０１３３】
（ＲＯＭ８７２、ＲＡＭ８７３）
ＲＯＭ８７２は、プロセッサ８７１に読み込まれるプログラムや演算に用いるデータ等を格納する手段である。ＲＡＭ８７３には、例えば、プロセッサ８７１に読み込まれるプログラムや、そのプログラムを実行する際に適宜変化する各種パラメータ等が一時的又は永続的に格納される。
【０１３４】
（ホストバス８７４、ブリッジ８７５、外部バス８７６、インターフェース８７７）
プロセッサ８７１、ＲＯＭ８７２、ＲＡＭ８７３は、例えば、高速なデータ伝送が可能なホストバス８７４を介して相互に接続される。一方、ホストバス８７４は、例えば、ブリッジ８７５を介して比較的データ伝送速度が低速な外部バス８７６に接続される。また、外部バス８７６は、インターフェース８７７を介して種々の構成要素と接続される。
【０１３５】
（入力装置８７８）
入力装置８７８には、例えば、マウス、キーボード、タッチパネル、ボタン、スイッチ、及びレバー等が用いられる。さらに、入力装置８７８としては、赤外線やその他の電波を利用して制御信号を送信することが可能なリモートコントローラ（以下、リモコン）が用いられることもある。また、入力装置８７８には、マイクロフォン等の音声入力装置が含まれる。
【０１３６】
（出力装置８７９）
出力装置８７９は、例えば、ＣＲＴ（Ｃａｔｈｏｄｅ  Ｒａｙ  Ｔｕｂｅ）、ＬＣＤ、又は有機ＥＬ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。また、本開示に係る出力装置８７９は、触覚刺激を出力することが可能な種々の振動デバイスを含む。
【０１３７】
（ストレージ８８０）
ストレージ８８０は、各種のデータを格納するための装置である。ストレージ８８０としては、例えば、ハードディスクドライブ（ＨＤＤ）等の磁気記憶デバイス、半導体記憶デバイス、光記憶デバイス、又は光磁気記憶デバイス等が用いられる。
【０１３８】
（ドライブ８８１）
ドライブ８８１は、例えば、磁気ディスク、光ディスク、光磁気ディスク、又は半導体メモリ等のリムーバブル記録媒体９０１に記録された情報を読み出し、又はリムーバブル記録媒体９０１に情報を書き込む装置である。
【０１３９】
（リムーバブル記録媒体９０１）
リムーバブル記録媒体９０１は、例えば、ＤＶＤメディア、Ｂｌｕ−ｒａｙ（登録商標）メディア、ＨＤ  ＤＶＤメディア、各種の半導体記憶メディア等である。もちろん、リムーバブル記録媒体９０１は、例えば、非接触型ＩＣチップを搭載したＩＣカード、又は電子機器等であってもよい。
【０１４０】
（接続ポート８８２）
接続ポート８８２は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、ＲＳ−２３２Ｃポート、又は光オーディオ端子等のような外部接続機器９０２を接続するためのポートである。
【０１４１】
（外部接続機器９０２）
外部接続機器９０２は、例えば、プリンタ、携帯音楽プレーヤ、デジタルカメラ、デジタルビデオカメラ、又はＩＣレコーダ等である。
【０１４２】
（通信装置８８３）
通信装置８８３は、ネットワークに接続するための通信デバイスであり、例えば、有線又は無線ＬＡＮ、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。
【０１４３】
＜３．まとめ＞
以上説明したように、本開示の一実施形態に係る情報処理サーバ２０は、人的資源の提供を希望する第１のユーザと、人的資源の提供に対する対価として報酬の提供を希望する第２のユーザと、の需給を示需給情報を生成する需給情報生成部２３０を備える。また、本開示の一実施形態に係る需給情報生成部２３０は、上記第１のユーザの保有スキル情報と、上記第２のユーザの希望スキル情報と、の間で一致するスキルセットごとに需給情報を生成すること、を特徴の一つとする。係る構成によれば、人的資源の市場価値を客観的に示し、正当な市場競争を促進することが可能となる。
【０１４４】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１４５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４６】
また、コンピュータに内蔵されるＣＰＵ、ＲＯＭおよびＲＡＭ等のハードウェアに、情報処理サーバ２０が有する構成と同等の機能を発揮させるためのプログラムも作成可能であり、当該プログラムを記録した、コンピュータに読み取り可能な非一過性の記録媒体も提供され得る。
【０１４７】
また、本明細書の情報処理システムの処理に係る各ステップは、必ずしもフローチャートに記載された順序に沿って時系列に処理される必要はない。例えば、情報処理システムの処理に係る各ステップは、フローチャートに記載された順序と異なる順序で処理されても、並列的に処理されてもよい。
【０１４８】
なお、以下のような構成も本開示の技術的範囲に属する。
（１）
人的資源の提供を希望する第１のユーザと、前記人的資源の提供に対する対価として報酬の提供を希望する第２のユーザと、の需給を示す需給情報を生成する需給情報生成部、
を備え、
前記需給情報生成部は、前記第１のユーザの保有スキル情報と、前記第２のユーザの希望スキル情報と、の間で一致するスキルセットごとに前記需給情報を生成する、
情報処理装置。
（２）
前記需給情報生成部は、前記第１のユーザが入力する希望報酬額と、前記第２のユーザが入力する支払報酬額と、にさらに基づいて前記需給情報を生成する、
前記（１）に記載の情報処理装置。
（３）
前記需給情報生成部は、前記希望報酬額および前記支払報酬額の分布を含む前記需給情報を前記スキルセットごとに生成する、
前記（２）に記載の情報処理装置。
（４）
前記人的資源の提供に係る売り注文情報、および前記報酬の提供に係る買い注文情報を生成する注文情報生成部、
をさらに備え、
前記注文情報生成部は、前記第１のユーザの保有スキル情報と前記希望報酬額とに基づいて前記売り注文情報を生成し、前記第２のユーザの希望スキル情報と前記支払報酬額とに基づいて前記買い注文情報を生成し、
前記需給情報生成部は、前記売り注文情報および前記買い注文情報の分布を含む前記需給情報を前記スキルセットごとに生成する、
前記（２）または（３）に記載の情報処理装置。
（５）
前記需給情報の表示を制御する表示制御部、
をさらに備える、
前記（４）に記載の情報処理装置。
（６）
前記表示制御部は、前記需給情報を板表現を用いて表示させる、
前記（５）に記載の情報処理装置。
（７）
前記表示制御部は、前記需給情報に基づく報酬相場情報の表示を制御する、
前記（５）または（６）に記載の情報処理装置。
（８）
前記表示制御部は、前記第１のユーザがさらなるスキルを獲得した場合における前記報酬相場情報を表示させる、
前記（７）に記載の情報処理装置。
（９）
前記表示制御部は、前記需給情報に基づいて、前記第１のユーザと前記第２のユーザとに係る需給の遷移を前記スキルセットごとに時系列に表示させる、
前記（５）〜（８）のいずれかに記載の情報処理装置。
（１０）
前記表示制御部は、前記需給情報に基づく前記第１のユーザと前記第２のユーザとに係る需給の予測を前記スキルセットごとに表示させる、
前記（５）〜（９）のいずれかに記載の情報処理装置。
（１１）
前記表示制御部は、前記第１のユーザまたは前記第２のユーザの要求に基づいて、前記第１のユーザと前記第２のユーザとの間の契約交渉に係るチャットを制御する、
前記（５）〜（１０）のいずれかに記載の情報処理装置。
（１２）
前記表示制御部は、前記第１のユーザに係る過去の成約情報の表示を制御する、
前記（５）〜（１１）のいずれかに記載の情報処理装置。
（１３）
前記成約情報は、契約時における契約報酬額情報と報酬相場情報とを含む、
前記（１２）に記載の情報処理装置。
（１４）
前記表示制御部は、前記第１のユーザが契約を交渉中である前記第２のユーザの支払報酬額、または前記第２のユーザが契約を交渉中である前記第１のユーザの希望報酬額の表示を制御する、
前記（５）〜（１３）のいずれかに記載の情報処理装置。
（１５）
前記注文情報生成部は、前記第２のユーザが入力した希望スキル情報および支払報酬額に基づいて、異なるスキルセットを指定する複数の買い注文情報を生成する、
前記（４）〜（１４）のいずれかに記載の情報処理装置。
（１６）
前記第１のユーザがアップロードしたコンテンツに基づいて当該第１のユーザに係る前記保有スキル情報を自動で生成する登録部、
をさらに備える、
前記（１）〜（１５）のいずれかに記載の情報処理装置。
（１７）
プロセッサが、人的資源の提供を希望する第１のユーザと、前記人的資源の提供に対する対価として報酬の提供を希望する第２のユーザと、の需給を示す需給情報を生成すること、
を含み、
前記需給情報を生成することは、前記第１のユーザの保有スキル情報と、前記第２のユーザの希望スキル情報と、の間で一致するスキルセットごとに、前記需給情報を生成すること、
をさらに含む、
情報処理方法。
（１８）
コンピュータを、
人的資源の提供を希望する第１のユーザと、前記人的資源の提供に対する対価として報酬の提供を希望する第２のユーザと、の需給を示す需給情報を生成する需給情報生成部、
を備え、
前記需給情報生成部は、前記第１のユーザの保有スキル情報と、前記第２のユーザの希望スキル情報と、の間で一致するスキルセットごとに、前記需給情報を生成する、
情報処理装置、
として機能させるためのプログラム。
【符号の説明】
【０１４９】
１０      情報処理端末
２０      情報処理サーバ
２１０    登録部
２２０    注文情報生成部
２３０    需給情報生成部
２４０    表示制御部
２５０    解析部
２６０    通信部
【図１】
2020008663.tif 000003
【図２】
2020008663.tif 000004
【図３】
2020008663.tif 000005
【図４】
2020008663.tif 000006
【図５】
2020008663.tif 000007
【図６】
2020008663.tif 000008
【図７】
2020008663.tif 000009
【図８】
2020008663.tif 000010
【図９】
2020008663.tif 000011
【図１０】
2020008663.tif 000012
【図１１】
2020008663.tif 000013
【図１２】
2020008663.tif 000014
【図１３】
2020008663.tif 000015
【図１４】
2020008663.tif 000016
【図１５】
2020008663.tif 000017
【図１６】
2020008663.tif 000018
【図１７】
2020008663.tif 000019
【図１８】
2020008663.tif 000020
【国際調査報告】
2020008663.tif 000021
2020008663.tif 000022
2020008663.tif 000023
2020008663.tif 000024